(57)【要約】【課題】工具用刃の再研磨をユーザの手間を低減しつつ実現するとともに、工具用刃の再利用を図って資源の無駄遣いを低減し、環境に優しい工具用刃の再研磨管理システムを提供する。【解決手段】ユーザにより使用された工具用刃を回収し、再研磨後に前記ユーザに引き渡すべく配送するに際し管理を行う工具用刃の再研磨管理システムにおいて、工具用刃のそれぞれに当該工具用刃を特定するための刃特定情報を刻み込み、刃特定情報に関連づけて工具用刃を最初に引き渡した日付、回収した日付、ユーザ特定情報を記憶し、記憶した情報に基づいて次回の再研磨時期を算出し、告知する。【選択図】図７
2009093394.tif 000002
【特許請求の範囲】
【請求項１】
ユーザにより使用された工具用刃を回収し、再研磨後に前記ユーザに引き渡すべく配送するに際し管理を行う工具用刃の再研磨管理システムにおいて、
前記工具用刃のそれぞれに当該工具用刃を特定するための刃特定情報を刻み込み、
前記刃特定情報に関連づけて前記工具用刃を最初に引き渡した日付、回収した日付、ユーザ特定情報を記憶する情報記憶部と、
前記情報記憶部に記憶した情報に基づいて次回の再研磨時期を算出する再研磨時期算出部と、
前記再研磨時期算出部により算出した再研磨時期を告知する告知部と、
を備えたことを特徴とする工具用刃の再研磨管理システム。
【請求項２】
請求項１記載の工具用刃の再研磨管理システムにおいて、
前記工具用刃の回収および再研磨後の配送は、宅配便あるいは郵便により行うことを特徴とする工具用刃の再研磨管理システム。
【請求項３】
請求項１または請求項２に記載の工具用刃の再研磨管理システムにおいて、
前記工具用刃を最初に引き渡す際、あるいは、再研磨後に配送するに際し、当該工具用刃を回収する際に用いる送付用箱および送付状を前記工具用刃に同梱することを特徴とする工具用刃の再研磨管理システム。
【請求項４】
請求項１ないし請求項３のいずれかに記載の工具用刃の再研磨管理システムにおいて、
前記告知部は、通信ネットワークに接続され、前記通信ネットワークを介して通信可能に接続された外部の通信端末に前記再研磨時期を通知することを特徴とする工具用刃の再研磨管理システム。
【発明の詳細な説明】
【技術分野】
【０００１】
本発明は、工具用刃の再研磨管理システムに係り、特に鋼製丸のこ台金を母体とした歯先にタングステン、カーバイトなどの超硬合金あるいはセラミクスのチップをロー付けしたチップソーなどの工具用刃の再研磨を管理する再研磨管理システムに関する。
【背景技術】
【０００２】
従来、鋼製丸のこ台金の外周に形成した多数の歯体に、超硬合金を材質とするチップを接合したチップソーが広く知られている。チップの材質としては一般に超硬合金が使用されているが、チップの耐久性(耐摩耗性)を向上させるために、この超硬合金より更に硬い超硬セラミクスを材質とするチップが使用されているものも知られている（例えば、特許文献１参照）。
【特許文献１】特開２００１−７９８０３号公報
【発明の開示】
【発明が解決しようとする課題】
【０００３】
ところで、上述した超硬合金あるいは超硬セラミクスで構成されたチップは、優れた耐摩耗性を有し、長時間の切削に供し得るとともに、チップの切れ味が低下しても、チップを再研磨することで切削性能を回復させることができる。
しかしながら、再研磨は何度でも制限なく行えるわけではなく、また、その都度、再研磨を行う業者に対し依頼を行うのは、ユーザにはとても煩わしい作業であった。
そこで、本発明の目的は、工具用刃の再研磨をユーザの手間を低減しつつ実現するとともに、工具用刃の再利用を図って資源の無駄遣いを低減し、環境に優しい工具用刃の再研磨管理システムを提供することにある。
【課題を解決するための手段】
【０００４】
上記課題を解決するため、本発明は、ユーザにより使用された工具用刃を回収し、再研磨後に前記ユーザに引き渡すべく配送するに際し管理を行う工具用刃の再研磨管理システムにおいて、前記工具用刃のそれぞれに当該工具用刃を特定するための刃特定情報を刻み込み、前記刃特定情報に関連づけて前記工具用刃を最初に引き渡した日付、回収した日付、ユーザ特定情報を記憶する情報記憶部と、前記情報記憶部に記憶した情報に基づいて次回の再研磨時期を算出する再研磨時期算出部と、前記再研磨時期算出部により算出した再研磨時期を告知する告知部と、を備えたことを特徴としている。
この場合において、前記工具用刃の回収および再研磨後の配送は、宅配便あるいは郵便により行うようにしてもよい。
また、前記工具用刃を最初に引き渡す際、あるいは、再研磨後に配送するに際し、当該工具用刃を回収する際に用いる送付用箱および送付状を前記工具用刃に同梱するようにしてもよい。
また、前記告知部は、通信ネットワークに接続され、前記通信ネットワークを介して通信可能に接続された外部の通信端末に前記再研磨時期を通知するようにしてもよい。
【発明の効果】
【０００５】
本発明によれば、工具用刃の再研磨をユーザの手間を低減しつつ実現するとともに、工具用刃の再利用を図って資源の無駄遣いを低減し、環境に優しい工具用刃の再研磨管理が行える。
【発明を実施するための最良の形態】
【０００６】
次に本発明の好適な実施形態について説明する。
図１は、工具用刃の再研磨管理システムの概要構成ブロック図である。
工具用刃の再研磨管理システム１０は、大別すると、工具用刃の再研磨管理を行う管理サーバ１１と、管理サーバ１１に対し、インターネットなどの通信ネットワーク１２を介して接続された複数の販売代理店端末１３と、を備えている。
【０００７】
図２は、管理サーバの概要構成ブロック図である。
管理サーバ１１は、当該管理サーバ１１全体を制御するコントロール部２１と、各種情報を表示するための表示部２２と、オペレータが各種操作を行うための操作部２３と、再研磨管理用のデータベース２４が構築されたハードディスク装置などの外部記憶装置２５と、通信ネットワーク１２を介した通信を行うための通信インタフェース２６と、を備えている。
ここで、コントロール部２１は、当該コントロール部２１全体を制御するＭＰＵ３１と、制御用プログラムを記憶したＲＯＭ３２と、各種データを一時的に格納するＲＡＭ３３と、を備えている。
【０００８】
図３は、再研磨管理システムにおける工具用刃の回収、再研磨、配送の流れについて説明するための図である。
以下の説明においては、工具用刃としてチップソーの販売から、回収、再研磨、配送について説明する。
まず、チップソーＣＳは、販売元ＰＤ（例えば、卸業者）からユーザＵ１へ直接販売され（ステップＰ１）、あるいは、販売代理店ＡＧを介してユーザＵ１に販売される（ステップＰ２１、Ｐ２２）。まれには、チップソーＣＳを販売元Ｐあるいは販売代理店ＡＧを介して購入した他のユーザＵ２からユーザＵ１へ販売あるいは無償譲渡される（ステップＰ３１、Ｐ３２、Ｐ３３）。
このとき、各チップソーＳＷには、最初の販売時に送付用箱および配送用宛名シート兼再研磨申込シートが同梱されており、再研磨の際には、送付用箱に配送用宛名シート兼再研磨申込シートを貼り付けて、当該チップソーＣＳを送付用箱に収納し、販売元Ｐに宅配便あるいは郵便により送付することとなる（ステップＰ４）。
【０００９】
これにより、再研磨対象のチップソーＣＳは販売元Ｐに回収されることとなる。この場合において、回収費用については、ユーザＵ１が負担することがないようにプリペイド方式あるいは着払い方式が採用されている。
その後、再研磨が終了した状態で、再研磨後のチップソーＣＳは、販売元Ｐから宅配便あるいは郵便によりユーザ１に対して配送されることとなる（ステップＰ５）。
なお、ステップＰ４およびステップＰ５の過程は、本実施形態の場合、性能維持および再研磨のコストの観点から再研磨可能回数を３回としているので、通常３回繰り返される。
【００１０】
図４は、チップソーの正面図である。
チップソーＳＷの表面Ｆには、当該チップソーＳＷを特定するために割り振られたユニークなＩＤ（識別）番号３５が刻印されている。このＩＤ番号３５は、管理サーバ１１において、各チップソーの再研磨管理を行うために用いられており、データベース２４に再研磨情報データに対応づけて後述するＩＤデータとして記憶されることとなる。なお、図４において、ＩＤ番号は、「Ｘ１２３４」とされている。
【００１１】
図５は、再研磨データのデータフォーマットである。
再研磨データは、各チップソーＳＷを特定するためのＩＤデータ４１と、第１回目の再研磨受注日（あるいは、再研磨日）が記録される第１再研磨日データ４２と、第２回目の再研磨受注日（あるいは、再研磨日）が記録される第２再研磨日データ４３と、第３回目の再研磨受注日（あるいは、再研磨日）が記録される第３再研磨日データ４４と、ＩＤデータに対応するチップソーＳＷに対応するユーザに関する情報を格納したユーザデータ４５と、を備えている。
ユーザデータ４５は、ユーザ名を格納したユーザ名データ４６と、当該ユーザにおける平均再研磨間隔（インターバル）を格納した平均再研磨間隔データ４７と、当該ユーザのメールアドレスを格納したメールアドレスデータ４８と、当該ユーザのファクシミリ番号を格納したファックス番号データ４９と、当該ユーザの電話番号を格納した電話番号データ５０と、当該ユーザの住所を格納した住所データ５１と、当該チップソーＳＷの購入日を含む各種の当該ユーザに関する情報（例えば、担当者名、支払い条件など）を格納した備考データ５２と、を備えている。
【００１２】
次に実施形態の動作について説明する。
図６は、実施形態のチップソー回収時の処理フローチャートである。
まず、コントロール部２１は、チップソーＳＷのＩＤ番号３５が操作部２３を介してオペレータにより入力されると（ステップＳ１）、当該入力されたＩＤ番号に対応するＩＤデータ４１を有する再研磨データ４０の第１再研磨日データ４２を参照して、再研磨回数が０回であるか否か、すなわち、第１再研磨日データ４２に初期データ以外のデータ（例えば、）が書き込まれていないか否かを判別する（ステップＳ２）。
ステップＳ２の判別において、再研磨階数が０回である場合、すなわち、第１再研磨日データ４２に初期データが書き込まれたままである場合には（ステップＳ２；Ｙｅｓ）、再研磨回数＝１とし、第１研磨データに再研磨受注日を書き込んで記録し（ステップＳ３）、再研磨工程に移行させる（ステップＳ４）。
【００１３】
ステップＳ２の判別において、再研磨階数が０回ではない場合、すなわち、第１再研磨日データ４２に受注日が書き込まれている場合には（ステップＳ２；Ｎｏ）、当該入力されたＩＤ番号に対応するＩＤデータ４１を有する再研磨データ４０の第２再研磨日データ４３を参照して、再研磨回数が１回であるか否か、すなわち、第２再研磨日データ４３に初期データ以外のデータが書き込まれていないか否かを判別する（ステップＳ５）。
ステップＳ５の判別において、再研磨階数が１回である場合、すなわち、第２再研磨日データ４３に初期データが書き込まれたままである場合には（ステップＳ５；Ｙｅｓ）、再研磨回数＝２とし、平均再研磨間隔データを更新し、第２再研磨日データ４３に再研磨受注日を書き込んで記録し（ステップＳ６）、そして、再研磨工程に移行させる（ステップＳ４）。
ステップＳ５の判別において、再研磨階数が１回ではない場合、すなわち、第２再研磨日データ４３に受注日が書き込まれている場合には（ステップＳ５；Ｎｏ）、当該入力されたＩＤ番号に対応するＩＤデータ４１を有する再研磨データ４０の第３再研磨日データ４４を参照して、再研磨回数が２回であるか否か、すなわち、第３再研磨日データ４４に初期データ以外のデータが書き込まれていないか否かを判別する（ステップＳ７）。
【００１４】
ステップＳ７の判別において、再研磨階数が２回である場合、すなわち、第３再研磨日データ４４に初期データが書き込まれたままである場合には（ステップＳ７；Ｙｅｓ）、再研磨回数＝３とし、平均再研磨間隔データを更新し、第３再研磨日データ４４に再研磨受注日を書き込んで記録し（ステップＳ８）、そして、再研磨工程に移行させる（ステップＳ４）。
ステップＳ７の判別において、再研磨階数が２回ではない場合、すなわち、既に第３再研磨日データ４４に受注日が書き込まれている場合には（ステップＳ７；Ｎｏ）、当該入力されたＩＤ番号に対応するチップソーＣＳは、再研磨可能回数の上限を超えることとなるので、当該チップソーＣＳは、再度原料として用いるべく、リサイクル工程に移行されることとなる。
これらの結果、性能維持が技術的およびコスト的に見合う状態では、チップソーＣＳの再研磨を行って再度チップソーとして利用し、性能維持がコスト的に見て見合わなくなった段階では、チップソーＣＳをリサイクルして、原材料として利用するので資源の無駄遣いがなく、環境に優しい再研磨システムを提供することが可能となる。
【００１５】
図７は、実施形態のチップソー再研磨管理時の処理フローチャートである。
まず、チップソー再研磨管理時には、コントロール部２１は、再研磨管理用のデータベース２４を参照して、管理している全てのチップソーＣＳに対応する再研磨データ４０を読み出し、各チップソーＣＳの最新の再研磨受注日を読み出す（ステップＳ１１）。
具体的には、コントロール部２１は、外部記憶装置２５に格納されている再研磨管理用のデータベース２４を参照して、いずれか一つの再研磨データ４０を読み出し、当該再研磨データ４０を構成する第１再研磨日データ４２〜第３再研磨日データ４４を参照し、対応するチップソーＳＷの最新の再研磨受注日を読み出すこととなる。なお、再研磨を未だ行っていない場合には、備考データ５２を参照して、チップソーの購入日を読み出すこととなる。
続いて、コントロール部２１は、読み出した最新の再研磨受注日から所定期間以上経過しているか否かを判別する（ステップＳ１２）。
この場合において、所定期間としては、予め一定の期間としておいても良いが、本実施形態では、当該チップソーＳＷに対応する平均再研磨間隔データ４７を参照し、平均再研磨間隔データ４７に格納されている平均研磨間隔に相当する日数を所定期間に設定している。これは、ユーザ毎にチップソーの使用頻度はある程度一定化していると考えられるからである。したがって、はじめてチップソーを購入したユーザである場合には、平均再研磨間隔データ４７に予め定めた期間を設定し、以前チップソーを購入したユーザについては、当該ユーザの平均的な再研磨間隔を設定するようにしている。
【００１６】
ステップＳ１２の判別において、未だ最新の再研磨日（あるいは、購入日）から所定期間が経過していない場合には（ステップＳ１２；Ｎｏ）、全てのＩＤに対応する再研磨データ４０についてチェック済みであるか否かを判別する（ステップＳ１３）。
ステップＳ１３の判別において、未だ全てのＩＤに対応する再研磨データ４０についてチェック済みではない場合には（ステップＳ１３；Ｎｏ）、処理を再びステップＳ１１に移行し、以下、同様の処理を行う。
ステップＳ１３の判別において、全てのＩＤに対応する再研磨データ４０についてチェック済みである場合には（ステップＳ１３）、処理を終了する。
一方、ステップＳ１２の判別において、読み出した最新の再研磨受注日から所定期間以上経過している場合には（ステップＳ１２；Ｙｅｓ）、再研磨データ４０のメールアドレスデータ４８を参照し、メールアドレスの有無を判別する（ステップＳ１４）。
ステップＳ１４の判別において、メールアドレスが存在する場合には（ステップＳ１４；Ｙｅｓ）、当該メールアドレスに再研磨時期が近いことをユーザに知らせるメールを送信するためのメール通知処理を行って、処理をステップＳ１３に移行し、以下、同様の処理を行う。
【００１７】
ステップＳ１４の判別において、メールアドレスが存在しない場合には（ステップＳ１４；Ｎｏ）、再研磨データ４０のファックス番号データ４９を参照し、ファクシミリ番号の有無を判別する（ステップＳ１５）。
ステップＳ１５の判別において、ファクシミリ番号が存在する場合には（ステップＳ１５；Ｙｅｓ）、当該ファクシミリ番号に対して再研磨時期が近いことをユーザに知らせるファクシミリを送信するためのファックス通知処理を行って、処理をステップＳ１３に移行し、以下、同様の処理を行う。
【００１８】
ステップＳ１４の判別において、ファクシミリ番号が存在しない場合には（ステップＳ１４；Ｎｏ）、再研磨データ４０の住所データ５１を参照し、住所情報を読み出して、当該住所に再研磨時期が近いことをユーザに知らせる郵便を送付するための郵送リストを作成する郵送通知処理を行って、処理をステップＳ１３に移行し、以下、同様の処理を行う。
以上の説明のように、本実施形態によれば、再研磨の履歴などに基づいて、予め再研磨時期をユーザに知らせることができ、ユーザの利便性の向上を図ることができる。
【００１９】
以上の説明においては、管理サーバの制御プログラムがＲＯＭに予め記憶されていることを前提としていたが、これに限らず、管理サーバを図示せぬホストコンピュータと通信ケーブルあるいはネットワークを介して接続し、このパーソナルコンピュータあるいはサーバコンピュータから制御プログラムをダウンロードするような形態であってもよい。この場合、表示制御装置内の書き換え可能な不揮発性メモリに制御プログラムが記憶されるようにすればよい。そして、各装置の処理部は、この不揮発性メモリから制御プログラムを読み出して、これを実行するようにすればよい。
以上の説明では、工具用刃の管理を通信ネットワークに接続された管理サーバで行う構成を採っていたが、スタンドアロンのコンピュータを用いて管理を行うように構成することも可能である。
【図面の簡単な説明】
【００２０】
【図１】工具用刃の再研磨管理システムの概要構成ブロック図である。
【図２】管理サーバの概要構成ブロック図である。
【図３】研磨管理システムにおける工具用刃の回収、再研磨、配送の流れについて説明するための図である。
【図４】チップソーの正面図である。
【図５】再研磨データのデータフォーマットである。
【図６】実施形態のチップソー回収時の処理フローチャートである。
【図７】実施形態のチップソー再研磨管理時の処理フローチャートである。
【符号の説明】
【００２１】
１０  再研磨管理システム
１１  管理サーバ
１２  通信ネットワーク
１３  販売代理店端末
２１  コントロール部
２２  表示部
２３  操作部
２４  データベース
２５  外部記憶装置
２６  通信インタフェース
３１  ＭＰＵ
３２  ＲＯＭ
３３  ＲＡＭ
３５  ＩＤ番号
４０  再研磨データ
４１  ＩＤデータ
４２  第１再研磨日データ
４３  第２再研磨日データ
４４  第３再研磨日データ
４５  ユーザデータ
４６  ユーザ名データ
４７  平均再研磨間隔データ
４８  メールアドレスデータ
４９  ファックス番号データ
５０  電話番号データ
５１  住所データ
５２  備考データ
ＡＧ  販売代理店
ＣＳ  チップソー
Ｐ  販売元
ＰＤ  販売元
ＳＷ  チップソー
【図１】
2009093394.tif 000003
【図２】
2009093394.tif 000004
【図３】
2009093394.tif 000005
【図４】
2009093394.tif 000006
【図５】
2009093394.tif 000007
【図６】
2009093394.tif 000008
【図７】
2009093394.tif 000009